Podtech/llm-jp-corpus-v4-ja_patent huggingface dataset:
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
空間を画定するフォームフレームと、
前記空間内に配置された袋アセンブリと、
前記フォームフレームおよび前記袋アセンブリを包むカバーと、を備えるマットレスであって、
前記患者支持装置は、関節動作式のフレームと係合するようにされており、
前記患者支持装置は、少なくとも１つの突出部をさらに含み、前記少なくとも１つの突出部は前記袋アセンブリに固定され、かつ、前記関節動作式のフレームに係合して前記関節動作式のフレームの動きに応答して前記袋アセンブリの動きを制御するように構成され、前記袋アセンブリは、前記関節動作式のフレームの部材が動いたときに前記袋アセンブリが前記フォームフレームに対して一定の範囲で動くことができるように前記フォームフレームと係合されている、マットレス。
【請求項２】
前記少なくとも１つの突出部が前記カバーの底面からのび、前記複数の突出部は、前記関節動作式のフレームの複数の部分に形成された受け部に入り、複数箇所で前記患者支持装置を前記関節動作式のフレーム固定するようにされている、請求項１に記載の患者支持装置。
【請求項３】
前記袋アセンブリに固定された前記突出部は、前記フォームフレームには固定されていない、請求項２に記載の患者支持装置。
【請求項４】
前記袋アセンブリは、前記袋アセンブリを前記カバーに固定するプレートを含む、請求項１に記載の患者支持装置。
【請求項５】
前記カバーは、前記袋アセンブリを前記カバーに固定するために前記袋アセンブリの前記プレートを受けるポケットを含む、請求項４に記載の患者支持装置。
【請求項６】
前記袋アセンブリは、スリーブが形成された、袋アセンブリのカバーをさらに含み、前記プレートは前記スリーブの中に配置され、前記袋アセンブリの前記プレートが前記袋アセンブリの残りの部分に対して一定の範囲で運動できるように前記スリーブに対して移動可能である、請求項５に記載の患者支持装置。
【請求項７】
前記フォームフレームに固定され、かつ、前記関節動作式のフレームに係合して前記関節動作式のフレームの動きに応答して前記フォームフレームの一部の動きを制御するように構成された少なくとも１つの突出部を有し、
前記フォームフレームに固定された前記突出部は、前記フォームフレームに固定されたプレートと接続されている、請求項１に記載の患者支持装置。
【請求項８】
前記フォームフレームに固定された前記プレートは、スリーブによって、前記プレートが前記スリーブ内で移動するように前記フォームフレームに固定されている、請求項７に記載の患者支持装置。
【請求項９】
前記プレートを前記フォームフレームに固定する前記スリーブは、接着剤によって前記フォームフレームに固定されている、請求項８に記載の患者支持装置。
【請求項１０】
前記フォームフレームは、長さが可変である穴のあいたフットセクションを含む、請求項９に記載の患者支持装置。
【請求項１１】
前記袋アセンブリは、複数のフォーム充填袋を含み、前記フォーム充填袋は各々、マニホールドによって相互に接続され、前記マニホールドは非動力型の逃がし弁を有し、前記逃がし弁は、前記袋アセンブリ内の圧力が、前記逃がし弁のあらかじめ定められた限界を超えた場合に前記袋アセンブリから空気を放出するように構成され、前記フォーム充填袋は各々、第１の層と第２の層とを含む、請求項１に記載の患者支持装置。
【請求項１２】
第１の群の前記複数のフォーム充填袋は第１の性能を有し、第２の群のフォーム充填袋は、前記第１の性能とは異なる第２の性能を有し、性能の差がゆえに、前記患者支持装置に支持される患者に対する支持が、前記患者支持装置の頭部の部分と胴の部分とで変化する、請求項１１に記載の患者支持装置。
【請求項１３】
前記少なくとも１つの突出部が前記カバーの底面からのび、前記複数の突出部は、前記関節動作式のフレームの複数の部分に形成された受け部に入り、複数箇所で前記患者支持装置を前記関節動作式のフレーム固定するようにされている、請求項１２に記載の患者支持装置。
【請求項１４】
前記袋アセンブリに固定された前記突出部は、前記フォームフレームには固定されていない、請求項１３に記載の患者支持装置。
【請求項１５】
前記袋アセンブリは、前記袋アセンブリを前記カバーに固定するプレートを含む、請求項１１に記載の患者支持装置。
【請求項１６】
前記カバーは、前記袋アセンブリを前記カバーに固定するために前記袋アセンブリの前記プレートを受けるポケットを含む、請求項１５に記載の患者支持装置。
【請求項１７】
前記袋アセンブリは、スリーブが形成された、袋アセンブリのカバーをさらに含み、前記プレートは前記スリーブの中に配置され、前記袋アセンブリの前記プレートが前記袋アセンブリの残りの部分に対して一定の範囲で運動できるように前記スリーブに対して移動可能である、請求項１６に記載の患者支持装置。
【請求項１８】
前記フォームフレームに固定され、かつ、前記関節動作式のフレームに係合して前記関節動作式のフレームの動きに応答して前記フォームフレームの一部の動きを制御するように構成された少なくとも１つの突出部を有し、
前記フォームフレームに固定された前記突出部は、前記フォームフレームに固定されたプレートと接続されている、請求項１１に記載の患者支持装置。
【請求項１９】
前記フォームフレームに固定された前記プレートは、スリーブによって、前記プレートが前記スリーブ内で移動するように前記フォームフレームに固定されている、請求項１８に記載の患者支持装置。
【請求項２０】
前記フォームフレームは、長さが可変である穴のあいたフットセクションを含む、請求項９に記載の患者支持装置。
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
円弧状部のうちの第１円弧状部材と第２円弧状部材の相対位置を固定することで、第１円弧状部材の位置する平面が第２円弧状部材の位置する平面に対して垂直になるようにして、第１円弧状部材の両端と第２円弧状部材の両端を溶接するステップと、
第１棒状部を溶接することで、第１棒状部を第１円弧状部材の中点位置と第２円弧状部材の中点位置に連結し、第２棒状部を溶接することで、第２棒状部を第１円弧状部材の一端に近い位置に連結し、第１円弧状部を形成し、このステップを繰り返し、複数の円弧状部の製造を完了させるステップと、
直立板の上底辺または上底辺の内側を第１棒状部に連結し、第２棒状部を直立板の斜辺または斜辺の内側に連結するステップと、
直立板の直角辺をベースの環状部材に連結し、かつ複数の円弧状部を円周方向に配列し、環状部材をベースの上面に取り付け、かつ環状部材と凹溝が同心になるように保証するステップと、
ベースの凹溝内にパイプ本体を取り付け、かつパイプ本体のワイドエッジがベースの先端に位置するように保証し、パイプ本体の最上部に凹溝カバーを取り付けるステップとを含む、ことを特徴とする多方向龍舞訓練装置の製造方法。
【請求項２】
前記ベースは円柱状で、複数の層を有し、上層に位置するベースの面積は底層に位置するベースの面積よりも狭い、ことを特徴とする請求項１に記載の多方向龍舞訓練装置の製造方法。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
オブジェクトを構成する複数の構成要素のうち少なくとも一部を構成する形状の第１装飾体と、
前記オブジェクトを構成する複数の構成要素のうち少なくとも前記第１装飾体とは異なる部位を構成する形状の第２装飾体とを備え、
前記第１装飾体、及び、前記第２装飾体は、
前記第１装飾体と、前記第２装飾体とが各構成要素をそれぞれ個別に認識させる独立位置と、
前記第１装飾体と、前記第２装飾体とを合わせた態様において前記オブジェクトを認識させる合併位置との間を、前記第１装飾体と、前記第２装飾体とが前後に重複する範囲を変化させるようにして相対変位可能に構成され、
前記第１装飾体及び前記第２装飾体はそれぞれ発光手段を具備し、前記第１装飾体、及び、前記第２装飾体が、前記合併位置にある状態と、前記独立位置にある状態とで、前記発光手段のうち前記第１装飾体が具備する所定の発光手段の発光態様を変化可能であり、
前記合併位置にある状態において、前記第１装飾体及び前記第２装飾体の前記発光手段を一体的な発光態様とさせる手段を備え、
遊技者にとって有利な状態が発生することを教示する場合に、前記合併位置にある前記第１装飾体及び前記第２装飾体が前記独立位置とされる、或いは、前記独立位置にある前記第１装飾体及び前記第２装飾体が前記合併位置とされる場合があることを特徴とする遊技機。
【手続補正２】
【補正対象書類名】明細書
【補正対象項目名】０００４
【補正方法】変更
【補正の内容】
【０００４】
ところで、遊技機として斬新な遊技機が求められている。
【手続補正３】
【補正対象書類名】明細書
【補正対象項目名】０００５
【補正方法】変更
【補正の内容】
【０００５】
本発明は、上記例示した問題点等を解決するためになされたものであり、その目的は、斬新な遊技機を提供することにある。
【手続補正４】
【補正対象書類名】明細書
【補正対象項目名】０００６
【補正方法】変更
【補正の内容】
【０００６】
本発明の遊技機は、
オブジェクトを構成する複数の構成要素のうち少なくとも一部を構成する形状の第１装飾体と、
前記オブジェクトを構成する複数の構成要素のうち少なくとも前記第１装飾体とは異なる部位を構成する形状の第２装飾体とを備え、
前記第１装飾体、及び、前記第２装飾体は、
前記第１装飾体と、前記第２装飾体とが各構成要素をそれぞれ個別に認識させる独立位置と、
前記第１装飾体と、前記第２装飾体とを合わせた態様において前記オブジェクトを認識させる合併位置との間を、前記第１装飾体と、前記第２装飾体とが前後に重複する範囲を変化させるようにして相対変位可能に構成され、
前記第１装飾体及び前記第２装飾体はそれぞれ発光手段を具備し、前記第１装飾体、及び、前記第２装飾体が、前記合併位置にある状態と、前記独立位置にある状態とで、前記発光手段のうち前記第１装飾体が具備する所定の発光手段の発光態様を変化可能であり、
前記合併位置にある状態において、前記第１装飾体及び前記第２装飾体の前記発光手段を一体的な発光態様とさせる手段を備え、
遊技者にとって有利な状態が発生することを教示する場合に、前記合併位置にある前記第１装飾体及び前記第２装飾体が前記独立位置とされる、或いは、前記独立位置にある前記第１装飾体及び前記第２装飾体が前記合併位置とされる場合があることを特徴としている。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明によれば、斬新な遊技機を提供することができる。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
ＵＥ（User Equipment）であって、
前記ＵＥは、記憶部と、送受信部と、を備え、
前記送受信部は、コアネットワークから受諾メッセージを受信するように構成され、
前記受諾メッセージは第１の情報を含み、
前記記憶部は、前記第１の情報を記憶するように構成され、
前記送受信部は、前記コアネットワークによって開始される更新手続きにおいて、前記コアネットワークから第２の情報を含む制御メッセージを受信するように構成されており、
前記第１の情報と前記第２の情報は、ＵＥのモビリティ処理を制限する情報であり、
前記記憶部は、前記更新手続きにおいて、前記第１の情報を前記第２の情報に更新するように構成されている、
ことを特徴とするＵＥ。
【請求項２】
ＵＥ（User Equipment）により行われる通信制御方法であって、前記通信制御方法は、
コアネットワークから受諾メッセージを受信するステップと、
前記受諾メッセージは第１の情報を含み、
前記第１の情報を記憶するステップと、
前記コアネットワークによって開始される更新手続きにおいて、前記コアネットワークから第２の情報を含む制御メッセージを受信するステップと、
前記第１の情報と前記第２の情報は、ＵＥのモビリティ処理を制限する情報であり、
前記更新手続きにおいて、前記第１の情報を前記第２の情報に更新するステップと、を含む、
ことを特徴とするＵＥにより行われる通信制御方法。
【請求項３】
コアネットワーク装置であって、
前記コアネットワーク装置は、記憶部と、送受信部と、を備え、
前記送受信部は、ＵＥ（User Equipment）へ受諾メッセージを送信するように構成され、
前記受諾メッセージは第１の情報を含み、
前記送受信部は、コアネットワークによって開始される更新手続きにおいて、前記ＵＥへ第２の情報を含む制御メッセージを送信するように構成されており、
前記第１の情報と前記第２の情報は、ＵＥのモビリティ処理を制限する情報であり、
前記記憶部は、前記更新手続きにおいて、前記第１の情報を前記第２の情報に更新するように構成されている、
ことを特徴とするコアネットワーク装置。
【請求項４】
コアネットワーク装置により行われる通信制御方法であって、前記通信制御方法は、
ＵＥ（User Equipment）へ受諾メッセージを送信するステップと、
前記受諾メッセージは第１の情報を含み、
コアネットワークによって開始される更新手続きにおいて、前記第１の情報を第２の情報に更新するステップと、
前記更新手続きにおいて、前記ＵＥへ前記第２の情報を含む制御メッセージを送信するステップと、を含み、
前記第１の情報と前記第２の情報は、ＵＥのモビリティ処理を制限する情報である、
ことを特徴とするコアネットワーク装置により行われる通信制御方法。
【手続補正２】
【補正対象書類名】明細書
【補正対象項目名】発明の名称
【補正方法】変更
【補正の内容】
【発明の名称】ＵＥ、ＵＥにより行われる通信制御方法、コアネットワーク装置及びコアネットワーク装置により行われる通信制御方法
【手続補正３】
【補正対象書類名】明細書
【補正対象項目名】０００１
【補正方法】変更
【補正の内容】
【０００１】
本発明は、ＵＥ等に関する。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
撮影画像を取得する取得手段と、
前記撮影画像の領域のうち、ユーザが注視する領域である第１の領域を検知する検知手段と、
前記撮影画像の領域のうち、主たる被写体の領域である第２の領域を決定する決定手段と、
前記第１の領域を示す第１の領域情報と前記第２の領域を示す第２の領域情報とを、それぞれ前記撮影画像に重畳させて表示する制御を行う表示制御手段と、を備え、
前記表示制御手段は、第１の指示手段が操作されるとき、前記検知手段によって検知された前記第１の領域の位置を示す情報に基づいて前記第１の領域情報及び前記第２の領域情報を表示し、前記第１の指示手段が操作された後、前記検知手段によって検知された前記第１の領域を示す情報に基づいて、前記第１の領域情報を表示し、前記決定手段によって決定された前記第２の領域の位置を示す情報に基づいて、前記第２の領域情報を表示する
ことを特徴とする画像処理装置。
【請求項２】
前記決定手段は、前記第１の指示手段が操作された後、画像認識を用いて前記第２の領域を決定することを特徴とする請求項１に記載の画像処理装置。
【請求項３】
前記表示制御手段は、前記第１の指示手段の操作後において、前記第１の指示手段とは異なる第２の指示手段の操作が検知された場合に、前記第１の領域の位置を示す情報に基づいて前記第２の領域情報を表示することを特徴とする請求項２に記載の画像処理装置。
【請求項４】
前記表示制御手段は、前記被写体の検知に関する評価値が閾値より低い場合に、前記第１の領域の位置を示す情報に基づいて前記第２の領域情報を表示することを特徴とする請求項３に記載の画像処理装置。
【請求項５】
前記第１の指示手段が操作された場合に、前記決定手段は、ピントを合わせる動作に関する動作モードと、撮影状態を示す情報とに基づいて、前記第２の領域を決定することを特徴とする請求項１乃至４のいずれか１項に記載の画像処理装置。
【請求項６】
前記決定手段は、前記動作モードが第１の動作モードである場合に、前記撮影画像に基づいて決定された被写体の領域の位置に対応する領域を前記第２の領域として決定し、前記動作モードが第２の動作モードである場合に、前記第１の領域の位置に対応する領域を前記第２の領域として決定することを特徴とする請求項５に記載の画像処理装置。
【請求項７】
前記決定手段は、前記第１の領域にピントを合わせる動作を行う第２の動作モードであって、前記第１の領域の検知に関する評価値が閾値以上である場合に、前記第１の領域の位置に対応する領域を前記第２の領域として決定することを特徴とする請求項６に記載の画像処理装置。
【請求項８】
前記決定手段は、前記第１の領域にピントを合わせる動作を行う第２の動作モードであって、前記第１の領域の検知に関する評価値が閾値より低い場合に、前記撮影画像に基づいて決定された被写体の領域を前記第２の領域として決定することを特徴とする請求項６または７に記載の画像処理装置。
【請求項９】
前記表示制御手段は、前記第１の指示手段の操作後において、前記第１の領域の検知に関する評価値が閾値より低い場合に、前記第１の領域情報の表示を目立たなくすることを特徴とする請求項６乃至８のいずれか１項に記載の画像処理装置。
【請求項１０】
前記表示制御手段は、前記第１の指示手段の操作後において、前記第１の領域情報の表示する色を前記第１の領域の検知に関する評価値が閾値より低い場合と前記評価値が閾値以上の場合とで異ならせることを特徴とする請求項９に記載の画像処理装置。
【請求項１１】
被写体光を光電変換する撮像素子と、請求項１乃至１０のいずれか１項に記載の画像処理装置とを備えることを特徴とする撮像装置。
【請求項１２】
前記第１の指示手段は、撮影準備指示のための操作ボタンであることを特徴とする請求項１１に記載の撮像装置。
【請求項１３】
前記撮影準備指示に応じて、前記第２の領域に合焦するように合焦動作を行い、撮影指示によって撮影を行うことを特徴とする請求項１２に記載の撮像装置。
【請求項１４】
撮影画像を取得する工程と、
前記撮影画像の領域のうち、ユーザが注視する領域である第１の領域を検知する工程と、
前記撮影画像の領域のうち、主たる被写体の領域である第２の領域を決定する工程と、
前記第１の領域を示す第１の領域情報と前記第２の領域を示す第２の領域情報とを、それぞれ前記撮影画像に重畳させて表示する制御を行う工程とを有し、
撮影準備指示を行う第１の指示手段が操作されるとき、前記検知の工程にてよって検知された前記第１の領域の位置を示す情報に基づいて前記第１の領域情報及び前記第２の領域情報を表示し、前記第１の指示手段が操作された後、前記検知の工程によって検知された前記第１の領域を示す情報に基づいて、前記第１の領域情報を表示し、前記決定の工程によって決定された前記第２の領域の位置を示す情報に基づいて、前記第２の領域情報を表示することを特徴とする画像処理装置の制御方法。
【請求項１５】
請求項１４に記載の制御方法の各工程をコンピュータに実行させるためのプログラム。
【請求項１６】
請求項１４に記載の制御方法の各工程をコンピュータに実行させるためのプログラムを記憶したコンピュータが読取り可能な記憶媒体。
【手続補正２】
【補正対象書類名】明細書
【補正対象項目名】発明の名称
【補正方法】変更
【補正の内容】
【発明の名称】画像処理装置、撮像装置、制御方法、プログラム及び記憶媒体
【手続補正３】
【補正対象書類名】明細書
【補正対象項目名】０００１
【補正方法】変更
【補正の内容】
【０００１】
本発明は、画像処理装置、撮像装置、制御方法、プログラム及び記憶媒体に関する。
【手続補正４】
【補正対象書類名】明細書
【補正対象項目名】０００６
【補正方法】変更
【補正の内容】
【０００６】
本発明の一実施形態の画像処理装置は、撮影画像を取得する取得手段と、前記撮影画像の領域のうち、ユーザが注視する領域である第１の領域を検知する検知手段と、前記撮影画像の領域のうち、主たる被写体の領域である第２の領域を決定する決定手段と、前記第１の領域を示す第１の領域情報と前記第２の領域を示す第２の領域情報とを、それぞれ前記撮影画像に重畳させて表示する制御を行う表示制御手段と、を備え、前記表示制御手段は、第１の指示手段が操作されるとき、前記検知手段によって検知された前記第１の領域の位置を示す情報に基づいて前記第１の領域情報及び前記第２の領域情報を表示し、前記第１の指示手段が操作された後、前記検知手段によって検知された前記第１の領域を示す情報に基づいて、前記第１の領域情報を表示し、前記決定手段によって決定された前記第２の領域の位置を示す情報に基づいて、前記第２の領域情報を表示する。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
酸性スフィンゴミエリナーゼの機能阻害剤（ＦＩＡＳＭＡ）の群の少なくとも１種の物質、水、少なくとも１種の炭素源、１種以上のビタミン、１種以上の塩、１種以上の脂肪酸、１種以上のバッファー構成成分、セレニウム、並びに、アクチビン、ｎｏｄａｌ、ミオスタチン及びＧＤＦ３からなる群から選択されるＴＧＦ−βスーパーファミリーの少なくとも１種のポリペプチドを含む、ヒト多能性幹細胞培養のための化学組成既知の合成培地。
【請求項２】
請求項１に記載の化学組成既知の合成培地中においてヒト多能性幹細胞を培養することを含む、ヒト多能性幹細胞を培養する方法。
【請求項３】
ヒト多能性幹細胞、及び請求項１に記載の化学組成既知の合成培地を含む、細胞培養系。
【請求項４】
−  細胞外マトリックス調製物を含む第一の組成物、
−  水、少なくとも１種の炭素源、１種以上のビタミン、１種以上の塩、１種以上の脂肪酸、及び１種以上のバッファー構成成分を含む第二の組成物、
−  アスコルビン酸、セレニウム、インスリン、トランスフェリン、アクチビンａ及びトリミプラミンを含む第三の組成物、並びに、
−  任意選択的に、細胞の乖離のための第四の組成物
を含む、細胞培養におけるヒト多能性幹細胞の増殖及び／又は維持のためのキット。
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
基部、基部と平行して配置された頂部、及び前記頂部と前記基部との間に配置され、そして容器の内腔を規定する壁要素を有する細胞培養容器における細胞の培養方法であって、ここで前記容器中の壁要素が前記頂部及び前記基部に対して圧縮可能であり、そして前記容器中の前記頂部が任意に密封可能な入口を有し、前記容器が可撓性材料から構成され、前記細胞培養容器内の培地中において細胞を培養することを含む方法であって、この方法はさらに以下の工程を含む；
（ｉ）遺伝子修飾；及び
（ｉｉ）サイトカイン刺激；及び
（ｉｉｉ）拡張；及び
（ｉｖ）洗浄；
ここで、前記方法の各工程は、細胞が容器の内腔を離れることなく、容器の内腔内で行われる。
【請求項２】
以下：
（ｖ）細胞選択；及び／又は  
（ｖｉ）分離；及び／又は
（ｖｉｉ）前記細胞の凍結保存、
の１又は２以上の工程をさらに含む、請求項１に記載の細胞の培養方法。
【請求項３】
前記細胞培養容器中の壁要素が、前記基部と平行して配置された、壁に複数の側方剛性部を含み、ここで側方剛性部の各対が変形可能領域と交互配置される、請求項１又は２に記載の細胞の培養方法。
【請求項４】
前記壁要素が螺旋コイル領域の何れかの側に提供される変形可能領域を有する剛性螺旋コイル領域を含む、請求項１又は２に記載の細胞の培養方法。
【請求項５】
前記容器の内腔が複数の連結されたチャンバーを含み、各チャンバーは、対の側方剛性部から形成された一連のセグメントから構成される、請求項１〜３の何れか1項に記載の細胞の培養方法。
【請求項６】
前記複数の連結されたチャンバーの各々は、複数の連結された各チャンバーの何れかの端に解放可能な閉鎖手段が提供される、請求項５に記載の細胞の培養方法。
【請求項７】
膜又はフィルターが、対の側方剛性部から形成された複数のセグメントに内腔を分割するために変形可能領域でその内腔内に配置される、請求項１〜３又は５の何れか１項に記載の細胞の培養方法。
【請求項８】
前記膜又はフィルターが１又は２以上の穴により穿孔される、請求項７に記載の細胞の培養方法。
【請求項９】
前記膜又はフィルターが、内腔を半分割する、請求項７に記載の細胞の培養方法。
【請求項１０】
前記膜が壁要素と不連続である、請求項７に記載の細胞の培養方法。
【請求項１１】
前記容器の内腔が、前記容器の内腔内に、同心円状に配置された複数の内壁要素を有する、請求項１又は２に記載の細胞の培養方法。
【請求項１２】
前記可撓性材料が、ガス透過性材料である、請求項１〜１１の何れか１項に記載の細胞の培養方法。
【請求項１３】
前記可撓性材料が、ポリエチレン（任意には低密度ポリエチレン（ＬＤＰＥ））、シス−１,４−ポリブタジエン、メタクリレート、フタレート、ポリ（塩化ビニル）、セルロース、シリコーン、フルオロエチレンポリプロピレン、ポリオレフィン、又はエチレン酢酸ビニルコポリマーから成る群から選択される、請求項１〜１２の何れか１項に記載の細胞の培養方法。
【請求項１４】
前記メタクリレートがポリ（エチルメタクリレート）を含む、請求項１３に記載の細胞培養容器細胞の培養方法。
【請求項１５】
前記メタクリレートが、ポリ（エチルメタクリレート）を含む、請求項１３に記載の細胞培養容器細胞の培養方法。
【請求項１６】
前記セルロースが、セルロースアセテートブチレートを含む、請求項１３に記載の細胞培養容器細胞の培養方法。
【請求項１７】
前記容器が、円形、正方形、長方形、楕円形又は三角形の断面のものである、請求項２〜１６の何れか１項に記載の細胞の培養方法。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
喫煙物品であって、
たばこロッドと、
前記たばこロッドと軸方向に整列したフィルターと、
前記フィルターの少なくとも一部分および前記たばこロッドの少なくとも一部分を囲んで前記たばこロッドと軸方向に整列した前記フィルターを固定するチッピングラッパーとを備え、
前記フィルターが、
前記たばこロッドに隣接する前記フィルターの上流端にある中空の管状要素と、
前記中空の管状要素の下流にありそれに隣接する濾過材料の第一のセグメントと、
少なくとも前記中空の管状要素および濾過材料の前記第一のセグメントを囲むフィルターラッパーであって、前記チッピングラッパーと前記中空の管状要素および濾過材料の前記第一のセグメントとの間に配置されている、前記フィルターラッパーと、
前記フィルターの下流端にある口側の端のくぼみとを備える喫煙物品。
【請求項２】
前記中空の管状要素が、前記喫煙物品の長軸方向に直角をなす約１００マイクロメートル以上の厚さ（ｔ）を有する、請求項１に記載の喫煙物品。
【請求項３】
前記中空の管状要素の長さが約４ミリメートルよりも長い、請求項１または請求項２に記載の喫煙物品。
【請求項４】
前記中空の管状要素が、前記たばこロッドを囲む前記チッピングラッパーの部分の長さよりも大きいまたは等しい長さを有する、請求項１〜３のいずれか１項に記載の喫煙物品。
【請求項５】
前記虚弱線が複数の穿孔を備える、請求項１〜４のいずれか１項に記載の喫煙物品。
【請求項６】
風味送達機構が前記中空の管状要素の内部表面に提供され、消費者が前記喫煙物品を消火する時に、風味剤を放出するように構成された、請求項１〜５のいずれか１項に記載の喫煙物品。
【請求項７】
消火によって、前記風味送達機構で風味剤を放出させる１つ以上のトリガーイベントが開始されるが、前記１つ以上のトリガーイベントが、摩擦力の適用、水分の追加、ｐＨの変化、温度上昇、およびその任意の組み合わせから成る群から選択される、請求項６に記載の喫煙物品。
【請求項８】
前記中空の管状要素が、少なくとも２つの紙レイヤーを含む、請求項１〜７のいずれか１項に記載の喫煙物品。
【請求項９】
前記中空の管状要素が、複数のらせん状に巻かれた紙レイヤーから形成される、請求項１〜８のいずれか１項に記載の喫煙物品。
【請求項１０】
前記中空の管状要素が濾過材料の環状セグメントから形成される、請求項１〜７のいずれか１項に記載の喫煙物品。
【請求項１１】
前記中空の管状要素が、前記喫煙物品の長軸方向に直角をなす厚さ（ｔ）、および前記喫煙物品の前記長軸方向に直角をなす直径（Ｄ）を有し、前記直径（Ｄ）と厚さ（ｔ）の比が約４０未満である、請求項１〜１０のいずれか１項に記載の喫煙物品。
【請求項１２】
前記たばこロッドが、前記たばこロッドの下流端にある捲縮したたばこキャストリーフを含む、請求項１〜１１のいずれか１項に記載の喫煙物品。
【請求項１３】
前記フィルターがさらに、濾過材料の前記第一のセグメントの下流にある濾過材料の１つ以上のセグメントを備える、請求項１〜１２のいずれか１項に記載の喫煙物品。
【請求項１４】
前記中空の管状要素の前記軸方向の剛度が、前記たばこロッドの前記軸方向の剛度より大きいまたは等しい、請求項１〜１３のいずれか１項に記載の喫煙物品。
【請求項１５】
前記中空の管状要素が、前記喫煙物品の長軸方向に直角をなす約１００マイクロメートル〜約７００マイクロメートル厚さ（ｔ）を有する、請求項１に記載の喫煙物品。
【請求項１６】
前記中空の管状要素の長さが約３ミリメートル〜約２０ミリメートルである、請求項１または請求項２に記載の喫煙物品。
【請求項１７】
前記中空の管状要素が、約５０グラム／平方メートル〜約２５０グラム／平方メートルの秤量を有する材料で形成される、請求項１〜１６のいずれか１項に記載の喫煙物品。
【請求項１８】
前記たばこロッドが、たばこロッドラッパーによって囲まれたたばこ材料を含み、前記たばこ材料がたばこカットフィラーを含む、請求項１〜１７のいずれか１項に記載の喫煙物品。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
始動口への入球に基づいて抽選を行い、該抽選の結果に基づいて利益を付与する遊技機であって、
複数の発光部に対する発光制御を実行する発光制御手段を備え、
前記発光制御手段は、
前記利益が付与されるときに所定条件が成立することによって、複数の発光部をレインボー態様で発光させる第１レインボー制御を実行する第１レインボー制御実行手段と、
前記所定条件とは異なり、前記利益が付与されるとき以外に成立可能な特別条件が成立することによって、複数の発光部をレインボー態様で発光させる第２レインボー制御を実行する第２レインボー制御実行手段と、を有しており、
さらに、複数の発光部がレインボー態様で発光する状態が終了した後には、所定の注意喚起メッセージを所定の表示装置に表示するメッセージ表示手段と、
遊技者により操作可能な特定操作部と、を備え、
前記メッセージ表示手段は、
前記第２レインボー制御にて複数の発光部がレインボー態様で発光する状態が終了した後の所定の時期に、前記注意喚起メッセージを前記表示装置に表示するものであり、
前記注意喚起メッセージが表示されているときに前記特定操作部が操作されると、前記注意喚起メッセージが消去されるものであり、
さらに、前記第２レインボー制御にて複数の発光部がレインボー態様で発光する状態では、前記表示装置にてレインボー態様の特定演出画像を表示可能であり、該特定演出画像は、前記第２レインボー制御が終了するときに消去される
ことを特徴とする遊技機。
【請求項２】
始動口への入球に基づいて抽選を行い、該抽選の結果に基づいて利益を付与する遊技機であって、
複数の発光部に対する発光制御を実行する発光制御手段を備え、
前記発光制御手段は、
前記利益が付与されるときに所定条件が成立することによって、複数の発光部をレインボー態様で発光させる第１レインボー制御を実行する第１レインボー制御実行手段と、
前記所定条件とは異なり、前記利益が付与されるとき以外に成立可能な特別条件が成立することによって、複数の発光部をレインボー態様で発光させる第２レインボー制御を実行する第２レインボー制御実行手段と、を有しており、
さらに、複数の発光部がレインボー態様で発光する状態が終了した後には、所定の注意喚起メッセージを所定の表示装置に表示するメッセージ表示手段と、
遊技者により操作可能な特定操作部と、を備え、
前記メッセージ表示手段は、
前記第２レインボー制御にて複数の発光部がレインボー態様で発光する状態が終了した後の所定の時期に、前記注意喚起メッセージを前記表示装置に表示するものであり、
前記注意喚起メッセージが表示されているときに前記特定操作部が操作されると、前記表示装置に特定表示物が前記注意喚起メッセージに重なるように表示されて、前記注意喚起メッセージが視認困難になるものであり、
さらに、前記第２レインボー制御にて複数の発光部がレインボー態様で発光する状態では、前記表示装置にてレインボー態様の特定演出画像を表示可能であり、該特定演出画像は、前記第２レインボー制御が終了するときに消去される
ことを特徴とする遊技機。
【手続補正２】
【補正対象書類名】明細書
【補正対象項目名】０００７
【補正方法】変更
【補正の内容】
【０００７】
本発明は、
始動口への入球に基づいて抽選を行い、該抽選の結果に基づいて利益を付与する遊技機であって、
複数の発光部に対する発光制御を実行する発光制御手段を備え、
前記発光制御手段は、
前記利益が付与されるときに所定条件が成立することによって、複数の発光部をレインボー態様で発光させる第１レインボー制御を実行する第１レインボー制御実行手段と、
前記所定条件とは異なり、前記利益が付与されるとき以外に成立可能な特別条件が成立することによって、複数の発光部をレインボー態様で発光させる第２レインボー制御を実行する第２レインボー制御実行手段と、を有しており、
さらに、複数の発光部がレインボー態様で発光する状態が終了した後には、所定の注意喚起メッセージを所定の表示装置に表示するメッセージ表示手段と、
遊技者により操作可能な特定操作部と、を備え、
前記メッセージ表示手段は、
前記第２レインボー制御にて複数の発光部がレインボー態様で発光する状態が終了した後の所定の時期に、前記注意喚起メッセージを前記表示装置に表示するものであり、
前記注意喚起メッセージが表示されているときに前記特定操作部が操作されると、前記注意喚起メッセージが消去されるものであり、
さらに、前記第２レインボー制御にて複数の発光部がレインボー態様で発光する状態では、前記表示装置にてレインボー態様の特定演出画像を表示可能であり、該特定演出画像は、前記第２レインボー制御が終了するときに消去される
ことを特徴とする。
また、始動口への入球に基づいて抽選を行い、該抽選の結果に基づいて利益を付与する遊技機であって、
複数の発光部に対する発光制御を実行する発光制御手段を備え、
前記発光制御手段は、
前記利益が付与されるときに所定条件が成立することによって、複数の発光部をレインボー態様で発光させる第１レインボー制御を実行する第１レインボー制御実行手段と、
前記所定条件とは異なり、前記利益が付与されるとき以外に成立可能な特別条件が成立することによって、複数の発光部をレインボー態様で発光させる第２レインボー制御を実行する第２レインボー制御実行手段と、を有しており、
さらに、複数の発光部がレインボー態様で発光する状態が終了した後には、所定の注意喚起メッセージを所定の表示装置に表示するメッセージ表示手段と、
遊技者により操作可能な特定操作部と、を備え、
前記メッセージ表示手段は、
前記第２レインボー制御にて複数の発光部がレインボー態様で発光する状態が終了した後の所定の時期に、前記注意喚起メッセージを前記表示装置に表示するものであり、
前記注意喚起メッセージが表示されているときに前記特定操作部が操作されると、前記表示装置に特定表示物が前記注意喚起メッセージに重なるように表示されて、前記注意喚起メッセージが視認困難になるものであり、
さらに、前記第２レインボー制御にて複数の発光部がレインボー態様で発光する状態では、前記表示装置にてレインボー態様の特定演出画像を表示可能であり、該特定演出画像は、前記第２レインボー制御が終了するときに消去される
ことを特徴とする。
【手続補正３】
【補正対象書類名】明細書
【補正対象項目名】０００８
【補正方法】削除
【補正の内容】
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
遊技球が転動可能な転動領域が形成された透明な板部と、
該板部に植設された障害釘と、
光を乱反射する乱反射部と、
を備えた遊技機において、
前記板部に植設された前記障害釘の周囲に生じる白化部の後方に、前記乱反射部が位置し、
前記乱反射部は、
前記白化部と前後方向で重なるように位置し、透光性を有する素材からなり、
前記白化部と前後方向で重なるように位置する前記乱反射部の後方には、表面が白色の基板が位置し、
前記白化部と前記乱反射部は、前記遊技機の前側から同時に視認できるものであり、
さらに、前記乱反射部を介して前記基板の表面の白色が視認でき、
前記基板は、前方に設けられる前記乱反射部の外周からはみだすことなく該乱反射部の後方に設けられており、
前記板部には、前記遊技球が入球すると遊技者に特典を付与する入賞口が設けられ、
前記乱反射部および前記基板は、前記入賞口へ前記遊技球を誘導しうる障害釘が植設された前記転動領域の少なくとも一部の領域の後方に設けられている
ことを特徴とする遊技機。
【手続補正２】
【補正対象書類名】明細書
【補正対象項目名】０００６
【補正方法】変更
【補正の内容】
【０００６】
本発明は、
遊技球が転動可能な転動領域が形成された透明な板部と、
該板部に植設された障害釘と、
光を乱反射する乱反射部と、
を備えた遊技機において、
前記板部に植設された前記障害釘の周囲に生じる白化部の後方に、前記乱反射部が位置し、
前記乱反射部は、
前記白化部と前後方向で重なるように位置し、透光性を有する素材からなり、
前記白化部と前後方向で重なるように位置する前記乱反射部の後方には、表面が白色の基板が位置し、
前記白化部と前記乱反射部は、前記遊技機の前側から同時に視認できるものであり、
さらに、前記乱反射部を介して前記基板の表面の白色が視認でき、
前記基板は、前方に設けられる前記乱反射部の外周からはみだすことなく該乱反射部の後方に設けられており、
前記板部には、前記遊技球が入球すると遊技者に特典を付与する入賞口が設けられ、
前記乱反射部および前記基板は、前記入賞口へ前記遊技球を誘導しうる障害釘が植設された前記転動領域の少なくとも一部の領域の後方に設けられている
ことを特徴とする。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
複数の対象を撮影するカメラを制御するためのカメラ制御プログラムであって、
コンピュータを、
各々が１以上の対象に関連付けられた１以上のセンサから、当該センサで計測された計測値を取得する計測値取得部と、
前記計測値取得部が取得した前記計測値に基づいて、各対象における異常発生の可能性の度合いを示す異常発生度を算出する異常発生度算出部と、
前記異常発生度算出部が算出した前記異常発生度に基づいて前記複数の対象の中から撮影対象を選択し、選択した前記撮影対象を、前記異常発生度に基づく撮影時間及び撮影精度の少なくとも１つに従って前記カメラに撮影させるカメラ制御部と
して機能させるためのカメラ制御プログラム。
【請求項２】
複数の対象を撮影するカメラを制御するためのカメラ制御装置であって、
各々が１以上の対象に関連付けられた１以上のセンサから、当該センサで計測された計測値を取得する計測値取得部と、
前記計測値取得部が取得した前記計測値に基づいて、各対象における異常発生の可能性の度合いを示す異常発生度を算出する異常発生度算出部と、
前記異常発生度算出部が算出した前記異常発生度に基づいて前記複数の対象の中から撮影対象を選択し、選択した前記撮影対象を、前記異常発生度に基づく撮影時間及び撮影精度の少なくとも１つに従って前記カメラに撮影させるカメラ制御部と
を備えるカメラ制御装置。
【請求項３】
複数の対象を撮影するカメラを制御するためのカメラ制御方法であって、
各々が１以上の対象に関連付けられた１以上のセンサから、当該センサで計測された計測値を取得するステップと、
取得された前記計測値に基づいて、各対象における異常発生の可能性の度合いを示す異常発生度を算出するステップと、
算出された前記異常発生度に基づいて前記複数の対象の中から撮影対象を選択するステップと、
選択された前記撮影対象を、前記異常発生度に基づく撮影時間及び撮影精度の少なくとも１つに従って前記カメラに撮影させるステップと
を含むカメラ制御方法。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
カロテノイドを含有するパラコッカス菌体又はその処理物を有効成分として含む、エビ用免疫増強剤であって、前記処理物は細胞膜成分とカロテノイドとを含む、前記エビ用免疫増強剤。
【請求項２】
カロテノイドがアスタキサンチン、アドニキサンチン、アドニルビン、カンタキサンチン、アステロイデノン、β-カロテン、エキネノン及び3-ヒドロキシエキネノンを含む、請求項１記載のエビ用免疫増強剤。
【請求項３】
処理物のカロテノイド含有量が1質量％以上であり、且つ処理物に含まれるカロテノイド中のアスタキサンチン含有量が40質量％以上である、請求項１又は２記載のエビ用免疫増強剤。
【請求項４】
カロテノイドを含有するパラコッカス菌体又はその処理物を含む、エビの免疫増強用飼料添加物であって、前記処理物は細胞膜成分とカロテノイドとを含む、前記エビの免疫増強用飼料添加物。
【請求項５】
カロテノイドがアスタキサンチン、アドニキサンチン、アドニルビン、カンタキサンチン、アステロイデノン、β-カロテン、エキネノン及び3-ヒドロキシエキネノンを含む、請求項４記載のエビの免疫増強用飼料添加物。
【請求項６】
処理物のカロテノイド含有量が1質量％以上であり、且つ処理物に含まれるカロテノイド中のアスタキサンチン含有量が40質量％以上である、請求項４又は５記載のエビの免疫増強用飼料添加物。
【請求項７】
請求項４〜６のいずれか１項記載のエビの免疫増強用飼料添加物を含む、エビ用飼料。
【手続補正書】
【提出日】令和3年2月17日(2021.2.17)
【手続補正１】
【補正対象書類名】特許請求の範囲
【補正対象項目名】請求項１２
【補正方法】変更
【補正の内容】
【請求項１２】
前記個人特定情報及び前記製剤情報に加えて、服薬タイミング情報を印刷することを特徴とする請求項７〜１１のいずれかに記載の服薬管理方法。
【手続補正２】
【補正対象書類名】明細書
【補正対象項目名】００４８
【補正方法】変更
【補正の内容】
【００４８】
固形製剤Ｔは載置台１３に下面を下にして載置する。載置台１３はｘ方向に移動可能で、インクジェットヘッド１１からｙ方向に一列に可食インクを吐出するとともに、同期して載置台１３をｘ方向に移動させることにより、固形製剤Ｔの上面に２次元に個人特定情報２を印刷することができる。載置台１３の移動とインクジェットヘッド１１の各ノズルからの可食インクの吐出とは、制御部１２で同期制御させることができる。
【手続補正書】
【提出日】令和3年3月15日(2021.3.15)
【手続補正１】
【補正対象書類名】明細書
【補正対象項目名】００１６
【補正方法】変更
【補正の内容】
【００１６】
以下、この発明の一実施の形態を、図面を参照して説明する。図１は、この発明の一実施の形態に係る昇降装置の全体構成を示す模式図であり、図２は巻き取りドラムの移動機構の詳細を示す図である。図１および図２を参照して、昇降装置１０は、ウインチで構成され、取付台１１と、取付台１１の上に固定された、巻き取りドラム１２ａ，１２ｂと、巻き取りドラム１２ａ，１２ｂを、その巻き取り位置が滑車２０の前方に移動されるように、第１の方向に交わる第２の方向に移動するとともに、回転駆動するための走行レール（例えば、リニアガイド）１４ａ上に載置された減速機１４およびモータ１５を含み、巻き取りドラム１２ａ，１２ｂの長手方向（第２の方向）に直交するように（第１の方向）に巻き取りドラムに対向して外部に配置された滑車２０から繰出されるワイヤーロープ２１を巻き取っている。
【手続補正書】
【提出日】令和3年1月6日(2021.1.6)
【手続補正１】
【補正対象書類名】明細書
【補正対象項目名】００１６
【補正方法】変更
【補正の内容】
【００１６】
また、本実施形態の粘着剤組成物に配合される炭素繊維は、糊切れ性及び塗工性の観点から、長径が３０〜３００μｍであることが好ましく、より好ましくは５０〜２００μｍである。これにより、糊切れ性を向上させつつ、粘着層形成時の不良発生を抑制し、糊切れ性及び生産適性に優れた粘着剤組成物が得られる。
【手続補正書】
【提出日】令和3年2月10日(2021.2.10)
【手続補正１】
【補正対象書類名】明細書
【補正対象項目名】００２０
【補正方法】変更
【補正の内容】
【００２０】
図１〜４に示す支持部材２０は、四角形の外枠と、当該外枠と一体となった内枠とからなる。具体的には、図１（ａ）に示すように、四角形の外枠部材２１と、外枠部材２１の一辺から対向する他辺に掛け渡した一対の架橋部材２２と、架橋部材２２の間に掛け渡した一対の内枠部材２３とからなる。すなわち、外枠部材２１で外枠を形成し、架橋部材２２の一部及び内枠部材２３で内枠を形成し、架橋部材２２で外枠及び内枠を一体とする。図１に示す例では、外枠部材２１、架橋部材２２、内枠部材２３は、角柱状の鋼管からなる。なお、支持部材２０の形状は、四角形に限られず、吊り下げ対象となる柱筋１０の径や形状に応じて、三角形や、五角形以上の多角形であってもよいし、円形または楕円形であってもよい。
【手続補正書】
【提出日】令和2年12月17日(2020.12.17)
【手続補正１】
【補正対象書類名】明細書
【補正対象項目名】００１１
【補正方法】変更
【補正の内容】
【００１１】
＜制御装置１＞
図１を参照して車両Ｖの車載装置である制御装置１の構成について説明する。制御装置１は、ＥＣＵ群（制御ユニット群）２を含む。ＥＣＵ群２は、互いに通信可能に構成された複数のＥＣＵ２０〜２９を含む。各ＥＣＵは、ＣＰＵに代表されるプロセッサ、半導体メモリ等の記憶デバイス、外部デバイスとのインタフェース等を含む。記憶デバイスにはプロセッサが実行するプログラムやプロセッサが処理に使用するデータ等が格納される。各ＥＣＵはプロセッサ、記憶デバイスおよびインタフェース等を複数備えていてもよい。なお、ＥＣＵの数や、担当する機能については適宜設計可能であり、本実施形態よりも細分化したり、あるいは、統合することが可能である。なお、図１においてはＥＣＵ２０〜２９の代表的な機能の名称を付している。例えば、ＥＣＵ２０には「運転制御ＥＣＵ」と記載している。
【手続補正２】
【補正対象書類名】明細書
【補正対象項目名】００１６
【補正方法】変更
【補正の内容】
【００１６】
ＥＣＵ２３は、油圧装置４２を制御する制動制御ユニットである。ブレーキペダルＢＰに対する運転者の制動操作はブレーキマスタシリンダＢＭにおいて液圧に変換されて油圧装置４２に伝達される。油圧装置４２は、ブレーキマスタシリンダＢＭから伝達された液圧に基づいて、四輪にそれぞれ設けられたブレーキ装置（例えばディスクブレーキ装置）５１に供給する作動油の液圧を制御可能なアクチュエータであり、ＥＣＵ２３は油圧装置４２が備える電磁弁等の駆動制御を行う。また、制動時にＥＣＵ２３はブレーキランプ４３Ｂを点灯可能である。これにより後続車に対して車両Ｖへの注意力を高めることができる。
【手続補正３】
【補正対象書類名】明細書
【補正対象項目名】００１７
【補正方法】変更
【補正の内容】
【００１７】
ＥＣＵ２３および油圧装置４２は電動サーボブレーキを構成することができる。ＥＣＵ２３は、例えば、４つのブレーキ装置５１による制動力と、パワープラント５０が備えるモータの回生制動による制動力との配分を制御することができる。ＥＣＵ２３は、また、四輪それぞれに設けられた車輪速センサ３８、ヨーレートセンサ（不図示）、ブレーキマスタシリンダＢＭ内の圧力を検知する圧力センサ３５の検知結果に基づき、ＡＢＳ機能、トラクションコントロールおよび車両Ｖの姿勢制御機能を実現することも可能である。
【手続補正４】
【補正対象書類名】明細書
【補正対象項目名】００１８
【補正方法】変更
【補正の内容】
【００１８】
ＥＣＵ２４は、後輪に設けられている電動パーキングブレーキ装置（例えばドラムブレーキ）５２を制御する停止維持制御ユニットである。電動パーキングブレーキ装置５２は後輪をロックする機構を備える。ＥＣＵ２４は電動パーキングブレーキ装置５２による後輪のロックおよびロック解除を制御可能である。
【手続補正５】
【補正対象書類名】明細書
【補正対象項目名】００５３
【補正方法】変更
【補正の内容】
【００５３】
図６（Ｂ）は、減速要求の発生後に抑制期間が開始された場合を例示している。つまり、抑制期間の開始時に車両Ｖが減速中の場合である。この場合は、緩やかに減速をやめて定速走行に移行する。これにより乗員に作用する慣性力を低減する。そして、抑制期間後に減速要求に対応して減速を再開する。また、同図の例では抑制期間中にシフトダウン要求が発生しているが、これまでの例と同様に、抑制期間中は減速比の変更を規制し、本実施形態の場合、現在の変速段を維持して変速ショックの発生を回避する。
【手続補正６】
【補正対象書類名】図面
【補正対象項目名】図４
【補正方法】変更
【補正の内容】
【図４】
2019167071.tif 000001
【手続補正書】
【提出日】令和2年11月27日(2020.11.27)
【手続補正１】
【補正対象書類名】明細書
【補正対象項目名】００１０
【補正方法】変更
【補正の内容】
【００１０】
【図１】図１は本発明の第１実施形態の摺動部材を示す断面図である。
【図２Ａ】図２Ａ〜Ｄは軟質金属相のアスペクト比特性を説明するための模式図であり、図２Ａは第１の局面に規定の条件を満足する合金オーバーレイ層の断面画像を示す。
【図２Ｂ】図２Ｂは当該断面画像に現れた軟質金属相のアスペクト比分布を示すヒストグラムである。
【図２Ｃ】図２Ｃは第１の局面に規定の条件を満足しない合金オーバーレイ層の断面画像を示す。
【図２Ｄ】図２Ｄは当該断面画像に現れた軟質金属相のアスペクト比分布を示すヒストグラムである。
【図３】図３はボロノイ多角形の説明図である。
【図４Ａ】図４Ａ〜Ｄはボロノイ多角形の面積の標準偏差に基づく特性を説明するための模式図であり、図４Ａは第２の局面に規定の条件を満足する合金オーバーレイ層の断面画像を示す。
【図４Ｂ】図４Ｂは当該断面画像に現れた軟質金属相のボロノイ多角形の面積の分布を示すヒストグラムである。
【図４Ｃ】図４Ｃは第２の局面に規定の条件を満足しない合金オーバーレイ層の断面画像を示す。
【図４Ｄ】図４Ｄは当該断面画像に現れた軟質金属相のボロノイ多角形の面積の分布を示すヒストグラムである。
【図５Ａ】図５Ａ，Ｂは軟質金属相の平均粒子直径特性を示す模式図であり、図５Ａは第３の局面に規定の条件を満足する合金オーバーレイ層の断面画像から得られた軟質金属相の粒子径の分布を示すヒストグラムである。
【図５Ｂ】図５Ｂは第３の局面に規定の条件を満足しない合金オーバーレイ層の断面画像から得られた軟質金属相の粒子径の分布を示すヒストグラムである。
【手続補正２】
【補正対象書類名】明細書
【補正対象項目名】００１７
【補正方法】変更
【補正の内容】
【００１７】
既述のようにして得られた断面画像から軟質金属相粒子の外周の２点を結び、かつ重心を通る径を２°刻みに測定した平均値から平均粒子径Ｃとその標準偏差Ｃσを演算する。
この発明では、平均粒子径Ｃとその標準偏差Ｃσの和を０．７０μｍ以下とする。より好ましくはその和を０．５５μｍ以下とする。
平均粒子径Ｃ+標準偏差Ｃσが０．７０μｍ以下である場合のヒストグラムの例を図５Ａに示す。図に示すように、Ｃ+Ｃσ≦０．７０μｍには２つパターンのヒストグラムが該当するが、いずれの場合も平均粒子径は小さいものとなる。よって、ホールピッチ効果により合金オーバーレイ層の機械的強度が向上し、もってこれに高い耐疲労性が付与される。
他方、当該条件をはずれて、Ｃ+Ｃσ＞０．７０μｍのときには２つのパターンのヒストグラムが該当するが（図２Ｄ参照）、いずれの場合も大きな粒子径の軟質金属相２１が多く含まれることとなる。
【手続補正３】
【補正対象書類名】明細書
【補正対象項目名】００２４
【補正方法】変更
【補正の内容】
【００２４】
次のようにして耐疲労試験を行った。
摺動部材として各実施例及び比較例の軸受は幅１５ｍｍ、外径５５ｍｍ、肉厚１．５ｍｍとした。ここにおいて、合金オーバーレイ層の厚さは１５μｍとした。
軸受の相手部材として高炭素鋼（Ｓ５５Ｃ）製の回転軸を選択し、これに所定の面圧をかけつつ、給油温度を１００℃、回転数を３２５０ｒｐｍとして２０時間回転させた。試験終了後に摺動部材の合金オーバーレイ層にクラックが発生したか否かを目視で判断した。
上記において、回転軸にかける面荷重は１００ＭＰａから１０ＭＰａずつ上げていった。合金オーバーレイ層にクラックが発生しなかった最大の面圧を耐疲労性評価の値とした。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
紐状体を有する回転翼機の駐機方法であって、
前記紐状体に所定のテンションをかけることによって、前記回転翼機を所定位置に維持させる、駐機方法。
【請求項２】
前記紐状体のテンションを計測するテンションメーターをさらに備え、
前記テンションメーターに基づく制御により、前記所定のテンションをかける、請求項１に記載の駐機方法。
【請求項３】
前記紐状体は、給電ケーブルである、請求項１または２に記載の駐機方法。